(57)【要約】  除湿システム（１００）は除湿機（１１０）とセンサ検出装置を含み、上記センサ検出装置は少なくとも室内空気の相対的な湿度および室内空気の空気品質を検知でき、上記除湿機（１１０）が除湿モードと、排気モードと、内部循環モード、待機モードおよびシャットダウンモードという３種のモードの少なくとも１種とを実行できる。上記除湿システム（１００）の制御方法において、上記センサ検出装置が室内空気の相対的な湿度値を優先的に検知し、上記室内空気の相対的な湿度値が湿度の所定値よりも大きくなると、上記除湿機（１１０）が上記除湿モードを実行し、室内空気の湿度を調節し、上記室内空気の相対的な湿度値が上記湿度の所定値よりも小さくなると、上記除湿機（１１０）が排気モード、内部循環モード、待機モード、シャットダウンモードのうちの１種を実行する。
2020085339.tif 000002
【特許請求の範囲】
【請求項１】
除湿機（１１０）とセンサ検出装置を含む除湿システム（１００）の制御方法において、  前記センサ検出装置が少なくとも室内空気の相対的な湿度および室内空気の空気品質を検知でき、  前記除湿機（１１０）が除湿モードと、排気モードと、内部循環モード、待機モードおよびシャットダウンモードという３種のモードの少なくとも１種とを実行でき、  前記センサ検出装置が室内空気の相対的な湿度値を優先的に検知し、前記室内空気の相対的な湿度値が湿度の所定値よりも大きくなると、前記除湿機（１１０）が前記除湿モードを実行し、室内空気の湿度を調節し、  前記室内空気の相対的な湿度値が前記湿度の所定値よりも小さくなると、前記除湿機（１１０）が排気モード、内部循環モード、待機モード、シャットダウンモードのうちの１種を実行する、除湿システム（１００）の制御方法。
【請求項２】
前記室内空気の相対的な湿度値が湿度の所定値よりも小さいとき、前記センサ検出装置が室内空気の空気品質のパラメータを検知し、  前記空気品質のパラメータが空気品質の所定値よりも劣るとき、前記除湿機（１１０）が前記排気モードを実行し、汚染された室内空気を室外に排出し、  前記空気品質のパラメータが空気品質の所定値よりも優れているとき、前記除湿機（１１０）が前記内部循環モード、前記待機モードおよび前記シャットダウンモードのうちの１種を実行する、請求項１に記載の除湿システム（１００）の制御方法。
【請求項３】
前記除湿機（１１０）が除湿機本体（１１１）の内部で空気の流れ方向に沿って順に設けられた除湿ロータ（１１１−１）、ファンモータアセンブリ（１１１−２）、および加熱アセンブリ（１１１−３）を有し、  前記除湿ロータ（１１１−１）が除湿領域と再生領域を含み、前記ファンモータアセンブリ（１１１−２）が多送風口ファン（１１１−２Ｆ）を含み、該多送風口ファン（１１１−２Ｆ）が１つ以上の吸気口（１１１−２Ｆｉｎ）と２つ以上の吹出口（１１１−２Ｆｏｕｔ１、１１１−２Ｆｏｕｔ２）を有し、  前記除湿モードを実行するとき、前記除湿機（１１０）の除湿機本体（１１１）に入る室内空気は、前記除湿領域を通過して、１つ以上の前記吸気口（１１１−２Ｆｉｎ）を介して前記多送風口ファン（１１１−２Ｆ）に入るとともに、２つ以上の前記吹出口（１１１−２Ｆｏｕｔ１、１１１−２Ｆｏｕｔ２）を介して、第１空気流（Ａ１）と第２空気流（Ａ２）としてそれぞれ室外と室内に排出される、請求項１又は請求項２に記載の除湿システム（１００）の制御方法。
【請求項４】
前記排気モードを実行するとき、前記除湿機（１１０）の除湿機本体（１１１）に入った室内空気は、前記除湿領域を通過し、１つ以上の前記吸気口（１１１−２Ｆｉｎ）を介して前記多送風口ファン（１１１−２Ｆ）に入るとともに、２つ以上の前記吹出口（１１１−２Ｆｏｕｔ１、１１１−２Ｆｏｕｔ２）のうちの室外と連通される一部の吹出口（１１１−２Ｆｏｕｔ１）またはすべての吹出口（１１１−２Ｆｏｕｔ１、１１１−２Ｆｏｕｔ２）を介して、すべてが第１空気流（Ａ１）として室外に排出される、または、一部の空気が第１空気流（Ａ１）として室内に排出され、残りの空気が第２空気流（Ａ２）として室外に排出される、請求項３に記載の除湿システム（１００）の制御方法。
【請求項５】
前記内部循環モードを実行するとき、前記除湿機（１１０）の除湿機本体（１１１）に入った室内空気は、前記除湿領域を通過し、１つ以上の前記吸気口（１１１−２Ｆｉｎ）を介して前記多送風口ファン（１１１−２Ｆ）に入るとともに、２つ以上の前記吹出口（１１１−２Ｆｏｕｔ１、１１１−２Ｆｏｕｔ２）のうちの、室内と連通される一部の吹出口（１１１−２Ｆｏｕｔ２）を介して、すべてが第２空気流（Ａ２）として室内に排出される、請求項３又は請求項４に記載の除湿システム（１００）の制御方法。
【請求項６】
前記第１空気流（Ａ１）の流路に室外通風開閉弁が設けられ、前記除湿システム（１００）が前記除湿モードまたは前記排気モードを実行すると、前記室外通風開閉弁を開け、前記除湿システム（１００）が前記内部循環モードを実行するとき、前記室外通風開閉弁を閉じる、請求項３から請求項５のいずれか１項に記載の除湿システム（１００）の制御方法。
【請求項７】
前記第２空気流（Ａ２）の流路に室内通風開閉弁が設けられ、前記除湿システム（１００）が前記除湿モードまたは前記内部循環モードを実行するとき、前記室内通風開閉弁を開け、  前記除湿システム（１００）が前記排気モードを実行するとき、前記室外通風開閉弁を開けるとともに、前記室内通風開閉弁を閉じる、または、前記室外通風開閉弁と前記室内通風開閉弁の両方を開ける、請求項６に記載の除湿システム（１００）の制御方法。
【請求項８】
前記除湿システム（１００）が前記排気モードを実行するように切り替えた後で、直ちに前記室外通風開閉弁を開け、  前記除湿システム（１００）が前記除湿モードを実行するように切り替えた後で、直ちに前記室外通風開閉弁を開けるか、または、所定の時間を遅延して前記室外通風開閉弁を開ける、請求項６又は請求項７に記載の除湿システム（１００）の制御方法。
【請求項９】
前記除湿モードを実行するとき、前記センサ検出装置はｔ時間ごとに、前記室内空気の相対的な湿度値を検知し、  前記排気モード、前記内部循環モードまたは前記待機モードを実行するとき、前記センサ検出装置はｔ時間ごとに、前記室内空気の相対的な湿度値と空気品質のパラメータを検知する、請求項２から請求項８のいずれか１項に記載の除湿システム（１００）の制御方法。
【請求項１０】
前記除湿機（１１０）が前記除湿モードを実行するとき、前記除湿ロータ（１１１−１）、前記ファンモータアセンブリ（１１１−２）、前記加熱アセンブリ（１１１−３）を運転させ、  前記除湿機（１１０）が前記排気モードまたは前記内部循環モードを実行するとき、前記ファンモータアセンブリ（１１１−２）のみを運転させる、請求項３から請求項８のいずれか１項に記載の除湿システム（１００）の制御方法。
【請求項１１】
前記除湿システム（１００）は空気調和機の室内機をさらに含み、前記空気調和機の室内機が前記除湿機（１１０）およびセンサ検出装置と通信接続可能である、請求項１から請求項８のいずれか１項に記載の除湿システム（１００）の制御方法。
【請求項１２】
前記センサ検出装置により検知した前記相対的な湿度が前記湿度の所定値よりも大きくなる場合に、前記センサ検出装置が環境の温度を検知するとともに、室内空気が所定の環境の温度の下限値と所定の環境の温度の上限値との間の範囲である快適温度範囲にあるか否かを判断し、  検知した環境の温度が前記環境の温度の下限値よりも小さくなると、前記空気調和機の室内機を暖房モードに切替え、  検知した環境の温度が前記環境の温度の上限値よりも大きくなると、前記空気調和機の室内機を冷房モードに切替え、  検知した環境の温度が前記快適温度範囲にあると、前記空気調和機の室内機を設定されたモードに戻す、請求項１１に記載の除湿システム（１００）の制御方法。
【請求項１３】
前記センサ検出装置は、人体の表面温度を検知でき、または人体の表面温度と環境の温度を同時に検知できるとともに、人体の表面温度が所定の人体の表面温度の下限値と所定の人体の表面温度の上限値との間の範囲である人体の適宜な体表温度範囲にあるか否かを判断し、  検知した人体の表面温度が前記所定の人体の表面温度の下限値を下回ったとき、前記空気調和機の室内機を暖房モードに切替え、  検知した人体の表面温度が前記所定の人体の表面温度の上限値を上回ったとき、前記空気調和機の室内機を冷房モードに切替え、  検知した人体の表面温度が前記人体の適宜な体表温度範囲にあるとき、前記空気調和機の室内機を設定されたモードに戻す、請求項１１に記載の除湿システム（１００）の制御方法。
【請求項１４】
前記センサ検出装置が湿度検出モジュール、空気品質検出モジュールおよび温度検出モジュールを含み、  前記温度検出モジュール、前記湿度検出モジュールおよび前記空気品質検出モジュールが集積して、または、別体に前記空気調和機の室内機に設けられる、請求項１１に記載の除湿システム（１００）の制御方法。
【請求項１５】
前記センサ検出装置が前記除湿機（１１０）に一体に設けられるか、または前記除湿機（１１０）と別体に設けられる、請求項１から請求項８のいずれか１項に記載の除湿システム（１００）の制御方法。 
【発明の詳細な説明】
【技術分野】
【０００１】  本発明は空気処理システムに関し、さらに具体的に除湿システムの制御方法に関する。
【背景技術】
【０００２】  従来、空気中の温度と湿度を調節する空気処理システム（例えば、除湿機、乾燥機などの除湿システム）として、特許文献１（中国登録実用新案公報ＣＮ２０３７７１５９６Ｕ）に開示されている圧縮冷凍−吸着除湿ロータリホイール結合運転除湿装置が知られている。【０００３】  特許文献１の圧縮冷凍−吸着除湿ロータリホイール結合運転除湿装置において、ダクトを介して少なくとも１つの冷凍システムと１つの吸着除湿ロータリホイールシステムが接続されている。【０００４】  図６に示すように、上記冷凍システムは、冷凍圧縮機（９）、前段凝縮器（１３）、後段凝縮器（１１）、冷凍膨張弁（１０）および冷凍蒸発器（８）からなる閉回路であり、冷凍圧縮機（９）から出た冷媒が先に前段凝縮器（１３）を通過してから、後段凝縮器（１１）、冷凍膨張弁（１０）、冷凍蒸発器（８）を通過し、最後に冷凍圧縮機（９）に流れ戻り、冷凍圧縮機（９）から排出された過熱状態の冷媒は前段凝縮器（１３）で過熱状態から飽和状態に冷却され、冷媒は後段凝縮器（１１）で主に気体から液体へ凝縮する熱交換と飽和状態から過冷却状態へ冷却する熱交換を行う。【０００５】  図６に示すように、上記吸着除湿ロータリホイールシステムは、仕切り板（４、３）によりロータリホイール再生領域（５）とロータリホイール処理領域（６）という２つの領域に仕切られたロータリホイール（２）、処理ファン（１）、再生ファン（１４）およびロータリホイール（２）を回転させるように駆動するモータ（７）を含む。【０００６】  図６に示すように、処理する必要のある空気は、ファン（１）の作用でａ点からダクトを通過して、順に冷凍蒸発器（８）を通過して降温されてから、ロータリホイール処理領域（６）を流れてから、処理ファン（１）を流れ、最後にｂ点で制御される空間へ返還され、ロータリホイール再生に必要な空気は再生ファン（１４）の作用で、ｃ点からダクトを通過して順に前段凝縮器（１３）、ロータリホイール再生領域（５）および再生ファン（１４）を通過して、ｄ点で大気に排出される。
【発明の概要】
【発明が解決しようとする課題】
【０００７】  上記特許文献１の圧縮冷凍−吸着除湿ロータリホイール結合運転除湿装置において、まず、排気と室内空気の浄化という機能が具備されていない。【０００８】  次に、このような圧縮冷凍−吸着除湿ロータリホイール結合運転除湿装置において、冷凍システムの余熱を利用するため、再生空気は必ず冷却凍システムの前段凝縮器を通過してから、ロータリホイールのロータリホイール再生領域を通過しなければならない。【０００９】  また、冷房と暖房時の熱交換器の作用（凝縮器の作用を奏するか、または蒸発器の作用を奏するか）が異なるため、このような圧縮冷凍−吸着除湿ロータリホイール結合運転除湿装置において、冷房機能のみを有する冷凍システムだけと接続可能であり、冷房機能と暖房機能を同時に有する空気調和機の室内機と接続不可能である。【００１０】  さらに、このような圧縮冷凍−吸着除湿ロータリホイール結合運転除湿装置において、処理ファンと（即ち、処理（吸気、排気）を行うためのファン）、再生ファンと（即ち、ロータリホイール再生領域で（吸湿後の）ロータリホイール処理領域の再生（吸湿可能なロータリホイール処理領域になる）を行うためのファン）、ロータリホイールを回転させるように駆動するモータと（即ち、ロータリホイール処理領域（吸湿を行う領域）とロータリホイール再生領域（除湿を行う領域）とを互いに切り替えるようにロータリホイールを回転させるためのモータ）を設ける必要があり、構造が複雑で、集積性が悪く、除湿装置の大型化を招いてしまう。【００１１】  従って、（１）排気機能を利用して室内空気の調節／空気浄化を実現可能であること、および／または（２）冷房機能と暖房機能を同時に有する空気調和機の室内機と接続可能な除湿システムの制御方法を設計するのは、解決すべき技術課題となる。【００１２】  本発明は上記技術課題を解決するためになされたものであり、主に除湿システム自体の排気機能を利用して室内空気の調節／空気浄化を実現可能な除湿システムの制御方法を提供することを目的とする。【００１３】  本発明は、また、冷房機能と暖房機能を同時に有する空気調和機の室内機と接続され、内蔵の判断ロジックに基づいて、各種の運転モードを選択的に実行できる除湿システムの制御方法を提供することを目的とする。
【課題を解決するための手段】
【００１４】  上記主要な目的を実現するために、本発明の第一観点に係る除湿システムの制御方法は、除湿機とセンサ検出装置を含む上記除湿システムの制御方法において、上記センサ検出装置が少なくとも室内空気の相対的な湿度および室内空気の空気品質を検知でき、上記除湿機が除湿モードと、排気モードと、内部循環モード、待機モードおよびシャットダウンモードという３種のモードの少なくとも１種とを実行でき、上記センサ検出装置が室内空気の相対的な湿度値を優先的に検知し、上記室内空気の相対的な湿度値が湿度の所定値よりも大きくなったとき、上記除湿機は、上記除湿モードを実行し、室内空気の湿度を調節し、上記室内空気の相対的な湿度値が上記湿度の所定値よりも小さくなったとき、排気モード、内部循環モード、待機モード、シャットダウンモードのうちの１種を実行する。【００１５】  本発明の第一観点に係る除湿システムの制御方法によれば、除湿システムが除湿機とセンサ検出装置を含み、上記センサ検出装置が少なくとも室内空気の相対的な湿度と室内空気の空気品質を検知でき、上記除湿機が除湿モードと、排気モードと、内部循環モード、待機モードおよびシャットダウンモードという３種のモードの少なくとも１種とを実行できるため、除湿システム（排気機能（排気モード）を具備する除湿機を含むもの）の制御方法を利用して室内空気の空気品質の調節を実現できる。【００１６】  本発明の第一観点に係る除湿システムの制御方法によれば、除湿システムにおける除湿機に除湿機能（除湿モード）と排気機能（排気モード）を具備させるとともに、除湿機能と排気機能の切替を１つの除湿システムの制御に集積化するため、除湿機の構造が簡単で、集積化が良好だけではなく、該除湿機を有する除湿システムの制御を簡素化でき、かつ装置の小型化を実現できるとともに、機器のコストを低減させることができる。【００１７】  さらに、本発明の第一観点に係る除湿システムの制御方法によれば、除湿システムにおける除湿機に内部循環モードおよび／または待機モードを付設するため、除湿システムの制御を多様化することができる。【００１８】  本発明の第二観点に係る除湿システムの制御方法は、本発明の第一観点に係る除湿システムの制御方法において、前記室内空気の相対的な湿度値が湿度の所定値よりも小さくなったとき、前記センサ検出装置が室内空気の空気品質のパラメータを検知し、前記空気品質のパラメータが空気品質の所定値よりも劣っているとき、前記除湿機が前記排気モードを実行し、汚染された室内空気を室外に排出し、前記空気品質のパラメータが空気品質の所定値よりも優れているとき、前記除湿機が前記内部循環モード、前記待機モードおよび前記シャットダウンモードのうちの１種を実行する。【００１９】  本発明の第二観点に係る除湿システムの制御方法によれば、空気品質のパラメータと空気品質の所定値との間の異なる判断結果に基づいて、排気モードを実行するか否か、または、内部循環モード、待機モードおよびシャットダウンモードのうちの１種を実行するため、除湿システム（排気機能（排気モード）を具備する除湿機を含むもの）の制御方法を利用して、汚染された室内空気が室外に排出されて、室内空気の品質を改善できる。【００２０】  室内空気の品質が理想的である場合に、除湿システム（内部循環機能（内部循環モード）を具備する除湿機を含むもの）の制御方法を利用して、室内空気を内部循環させてもよい。【００２１】  これによって、高品質の室内空気をさらに長期間にわたって維持できるとともに、空気の品質をさらに正確に検出できる。または、待機モードを実行してもよい。これによって、室内空気を監視すると同時に、省エネを実現する。もちろん、除湿機を直接シャットダウン（シャットダウンモード）してもよい。【００２２】  本発明の第三観点に係る除湿システムの制御方法は、本発明の第一観点または第二観点に係る除湿システムの制御方法において、上記除湿機は、除湿機本体の内部で空気の流れ方向に沿って順に設けられた除湿ロータ、ファンモータアセンブリ、加熱アセンブリを有し、上記除湿ロータが除湿領域と再生領域を含み、上記ファンモータアセンブリが多送風口ファンを含み、該多送風口ファンが一つ以上の吸気口と２つ以上の吹出口を有している。【００２３】  上記除湿モードを実行するとき、上記除湿機の除湿機本体に入る室内空気は、上記除湿領域を通過して、１つ以上の上記吸気口を介して上記多送風口ファンに入るとともに、２つ以上の上記吹出口を介して、第１空気流と第２空気流としてそれぞれ室外と室内に排出される。【００２４】  本発明の第三観点に係る除湿システムの制御方法によれば、上記ファンモータアセンブリが２つ以上の吹出口を有する多送風口ファンを含み、上記除湿領域を通過した後で上記多送風口ファンに入った室内空気が２つ以上の上記吹出口を介して、一部が室外に排出され、他の一部が室内に排出されるため、除湿ロータの除湿領域を利用して除湿機の除湿機本体内に入った室内空気を除湿できることによって、室内空気の湿度を下げることができる。【００２５】  第１空気流が上記除湿ロータの再生領域を通過するとともに、吹出ダクトを介して室外に排出されるため、室内への排出に適さない空気流（例えば、加湿後（または湿潤）の空気流または除湿ロータを再生させるための空気流）を室外に排出できる。【００２６】  さらに、第２空気流は上記除湿機本体の側面に形成された室内通気口を介して室内に排出されるため、室内への排出に適した空気流（例えば、除湿後（または乾燥）の空気流または清潔な空気流）を室内に排出できる。【００２７】  これにより、部屋内の室内制御の全体的な品質（湿度、空気品質）を向上させ、部屋内の人員に快適に感じさせることができる。【００２８】  本発明の第四観点に係る除湿システムの制御方法は、本発明の第三観点に係る除湿システムの制御方法において、上記排気モードを実行するとき、上記除湿機の除湿機本体に入った室内空気は、上記除湿領域を通過し、１つ以上の上記吸気口を介して上記多送風口ファンに入るとともに、２つ以上の上記吹出口のうちの室外と連通される一部の吹出口またはすべての吹出口を介して、すべてが第１空気流として室外に排出される、または、一部の空気が第１空気流として室内に排出され、残りの空気が第２空気流として室外に排出される。【００２９】  本発明の第四観点に係る除湿システムの制御方法によれば、排気モードを実行する���き、上記除湿領域を通過した後で上記多送風口ファンに入った室内空気は、室外と連通される吹出口を介してすべてが室外に排出される、またはすべての吹出口を介して、一部が室外に排出され、他の一部が室内に排出されるため、室内へ戻るに適さない空気流（例えば、湿潤の空気流または除湿ロータを再生させるための空気流、またはＣＯ２濃度が高すぎるとき）を室外に排出できる。【００３０】  まだ室内に戻ることができる一部の空気流が存在する場合に、その中で室内に戻ることができる空気流の一部を室内に戻すことで、室内外の温度差が大きすぎると運転中の空気調和機の室内機の負荷を過度に上げたり、空気調和機の室内機が運転しない場合や空気調和機の室内機がない場合に室内温度が急激に変化したりすることが回避され、室内空気の品質向上と省エネを両立させ、室内の人員の温度に対する快適度を低下させないと同時に、部屋内の室内空気の空気品質を改善し、快適度を向上できる。【００３１】  本発明の第五観点に係る除湿システムの制御方法は、本発明の第三観点または第四観点に係る除湿システムの制御方法において、上記内部循環モードを実行するとき、上記除湿機の除湿機本体に入った室内空気は、上記除湿領域を通過し、１つ以上の上記吸気口を介して上記多送風口ファンに入るとともに、２つ以上の上記吹出口のうちの、室内と連通される一部の吹出口を介して、すべてが第２空気流として室内に排出される。【００３２】  本発明の第五観点に係る除湿システムの制御方法によれば、第２空気流が上記除湿機本体の側面に形成された室内通気口を介して室内に排出されるため、清潔な空気流を室内に排出できる。【００３３】  内部循環モードを実行することで、外気による室内空気への二次汚染を回避でき、部屋内の室内制御の全体的な品質（湿度、空気品質）を向上させ、部屋内の人員を快適に感じさせることができる。【００３４】  本発明の第六観点に係る除湿システムの制御方法は、本発明の第三観点から第五観点のいずれか１つに係る除湿システムの制御方法において、上記第１空気流の流路に室外通風開閉弁が設けられ、上記除湿システムが上記除湿モードと上記排気モードを実行すると、上記室外通風開閉弁を開け、上記除湿システムが上記内部循環モードを実行すると、上記室外通風開閉弁を閉じる。【００３５】  本発明の第六観点に係る除湿システムの制御方法によれば、上記第１空気流の流路に室外通風開閉弁が設けられるとともに、除湿システムの異なる運転モードに基づいて、室外通風開閉弁の開閉を制御できるため、室外通風開閉弁が閉じると、部屋内の室内空気が内部循環するようになり、室内空気を少なくしない場合に、高品質な室内空気をさらに長期間にわたって保持／維持できる一方、室外通風開閉弁が開くと、室内への排出に適した空気が室内に排出されるとともに、室内への排出に適さない空気が室外に排出できる。【００３６】  室外通風開閉弁を適宜に選択的に開閉することで、室内空気の内部循環を実現することを選択できるか、または、再生領域における湿気を除湿するように除湿ロータの再生領域に第１空気流を通過させることを選択できる。【００３７】  これにより、除湿システムの制御をよりユーザーフレンドリーにするとともに、部屋内の人員をさらに快適に感じさせることができる。【００３８】  本発明の第七観点に係る除湿システムの制御方法は、本発明の第六観点に係る除湿システムの制御方法において、上記第２空気流の流路に室内通風開閉弁が設けられ、上記除湿システムが上記除湿モードと上記内部循環モードを実行するとき、上記室内通風開閉弁を開け、上記除湿システムが上記排気モードを実行するとき、上記室外通風開閉弁を開けるとともに上記室内通風開閉弁を閉じる、または、上記室外通風開閉弁と上記室内通風開閉弁の両方を開ける。【００３９】  本発明の第七観点に係る除湿システムの制御方法によれば、上記第２空気流の流路上に室内通風開閉弁が設けられるとともに、除湿システムの異なる運転モードに基づいて、室内通風開閉弁の開閉を制御できるため、室内空気がひどく汚染された場合に、すべてを室外に排出する排気モードを直接に実行し、室内空気が一般的に汚染された場合に、一部の空気を室内に選択的に戻し、他の一部の空気が除湿ロータにおける湿気を除湿するようにする。【００４０】  ＣＯ２濃度が高すぎると、新鮮な空気が室内に導入されるのを確保すると同時に、室内空気を優先的に室外に排出する（排気モード）ことが好ましい。【００４１】  これにより、除湿システムの制御をよりユーザーフレンドリーにするとともに、部屋内の人員をさらに快適に感じさせることができる。【００４２】  本発明の第八観点に係る除湿システムの制御方法は、本発明の第六観点または第七観点に係る除湿システムの制御方法において、上記除湿システムが上記排気モードを実行するように切り替えた後で、直ちに上記室外通風開閉弁を開け、上記除湿システムが上記除湿モードを実行するように切り替えた後で、直ちに上記室外通風開閉弁を開けるか、または、所定の時間を遅延して上記室外通風開閉弁を開ける。【００４３】  本発明の第八観点に係る除湿システムの制御方法によれば、第１空気流の流路に室外通風開閉弁が設けられた場合に、除湿モードまたは排気モードを実行するように切り替えた後で、除湿ロータが回転するのを開始し、このとき、排気モードを実行すると、直ちに室外通風開閉弁を開け、除湿モードを実行すると、直ちに室外通風開閉弁を開けてもよく、一定時間を経過した後（所定の時間を遅延して）、例えば、除湿ロータの吸湿が飽和に達するのに近づいたとき、室外通風開閉弁を開けてもよい。再生領域における湿気を除湿するように、第１空気流が除湿ロータの再生領域を通過する。【００４４】  本発明の第九観点に係る除湿システムの制御方法は、本発明の第二観点から第八観点のいずれか１つの除湿システムの制御方法において、上記除湿モードを実行するとき、上記センサ検出装置はｔ時間ごとに、上記室内空気の相対的な湿度値を検知し、上記排気モード、上記内部循環モードまたは上記待機モードを実行するとき、上記センサ検出装置はｔ時間ごとに、上記室内空気の相対的な湿度値と空気品質のパラメータを検知する。【００４５】  本発明の第九観点に係る除湿システムの制御方法によれば、シャットダウンモードを除いて、除湿モード、排気モード、内部循環モード、待機モードのいずれのモードでは、センサ検出装置は室内空気の湿度を定期的に��視し、また、除湿モードでは、センサ検出装置はさらに空気の品質を定期的に監視し、これにより、突発的な環境変化が発生すると、即時に応答して、対応して相応的なモードに変更され、室内環境をできるだけ速く所定の環境（湿度、空気品質、温度など）に復帰できる。【００４６】  本発明の第十観点に係る除湿システムの制御方法は、本発明の第三観点から第八観点のいずれか１つの除湿システムの制御方法において、上記除湿機は、上記除湿モードを実行するとき、上記除湿ロータ、上記ファンモータアセンブリ、上記加熱アセンブリを運転させ、上記除湿機は、上記排気モードまたは上記内部循環モードを実行すると、上記ファンモータアセンブリのみを運転させる。【００４７】  本発明の第十観点に係る除湿システムの制御方法によれば、上記除湿モード時に、上記除湿ロータを回転させ、上記ファンモータアセンブリに吸気を開始させるとともに、上記加熱アセンブリに加熱を開始させるため、除湿ロータの除湿領域（自然領域）で室内空気を除湿するとともに、除湿ロータの再生領域（加熱領域）で加熱アセンブリの加熱によって吸湿した水蒸気を蒸散させるとともに、該再生領域（加熱領域）に第１空気流を通過させて水蒸気を除湿することができる。これにより、除湿ロータの再生領域が回転した後で再度に除湿領域となり、除湿機の除湿機本体内部に入った室内空気を再び除湿するようになる。【００４８】  一方、除湿機は室内空気を除湿できるだけではなく、除湿機の排気特性（排気機能）も利用して、除湿が不要なとき、汚染された室内空気が室外に排出されて、除湿機能と排気機能（内部循環機能）の切替を１つの除湿システムの制御に集積化できることで、構造と制御を簡単化にし、集積化を良好にしながら、装置の小型化を実現でき、かつ機器のコストを低減させることができる。【００４９】  本発明の第十一観点に係る除湿システムの制御方法は、本発明の第一観点から第八観点のいずれか１つの除湿システムの制御方法において、上記除湿システムは空気調和機の室内機をさらに含み、上記空気調和機の室内機が上記除湿機およびセンサ検出装置と通信接続可能である。【００５０】  本発明の第十一観点に係る除湿システムの制御方法によれば、除湿システムが相互に通信接続可能な除湿機、空気調和機の室内機とセンサ検出装置を含むため、本発明のもう一つの目的を実現でき、即ち、少なくとも冷房機能と暖房機能を同時に有する空気調和機の室内機と接続可能であり、内蔵の判断ロジックに基づいて、各種の運転モードを選択的に実行できる。【００５１】  本発明の第十二観点に係る除湿システムの制御方法は、本発明の第十一観点に係る除湿システムの制御方法において、上記センサ検出装置により検知した上記相対的な湿度が上記湿度の所定値よりも大きくなる場合に、上記センサ検出装置が環境の温度を検知するとともに、室内空気が所定の環境の温度の下限値と所定の環境の温度の上限値との間の範囲である快適温度範囲にあるかを判断し、検知した環境の温度が上記環境の温度の下限値よりも小さくなると、上記空気調和機の室内機を暖房モードに切替え、検知した環境の温度が上記環境の温度の上限値よりも大きくなると、上記空気調和機の室内機を冷房モードに��替え、検知した環境の温度が上記快適温度範囲にあると、上記空気調和機の室内機を設定されたモードに戻す。【００５２】  本発明の第十二観点に係る除湿システムの制御方法によれば、センサ検出装置により環境の温度を検知できるとともに、環境の温度（室内温度）が快適温度範囲外のときに、部屋内の室内温度が常時快適温度範囲内にあるように、または、なるべく速く快適温度範囲に戻るように、空気調和機の室内機に対して温度制御調節を自動的に行う。【００５３】  本発明の第十三観点に係る除湿システムの制御方法は、本発明の第十一観点に係る除湿システムの制御方法において、上記センサ検出装置は、人体の表面温度を検知でき、または人体の表面温度と環境の温度を同時に検知できるとともに、人体の表面温度が所定の人体の表面温度の下限値と所定の人体の表面温度の上限値との間の範囲、即ち、人体の適宜な体表温度範囲にあるかを判断し、検知した人体の表面温度が上記所定の人体の表面温度の下限値を下回ったとき、上記空気調和機の室内機を暖房モードに切替え、検知した人体の表面温度が上記所定の人体の表面温度の上限値を上回ったとき、上記空気調和機の室内機を冷房モードに切替え、検知した人体の表面温度が上記人体の適宜な体表温度範囲にあるとき、上記空気調和機の室内機を設定されたモードに戻す。【００５４】  本発明の第十三観点に係る除湿システムの制御方法によれば、センサ検出装置は、人体の表面温度を検知できるとともに、人体の表面温度が人体の適宜な体表温度範囲外にあるとき、空気調和機の室内機に対して温度制御調節を自動的に行うことによって、例えば、外出から部屋に戻るときに、人により速く快適を感じさせることができる。【００５５】  本発明の第十四観点に係る除湿システムの制御方法は、本発明の第十一観点に係る除湿システムの制御方法において、上記センサ検出装置が湿度検出モジュール、空気品質検出モジュールおよび温度検出モジュールを含み、上記温度検出モジュール、上記湿度検出モジュールおよび上記空気品質検出モジュールが集積して、または、別体に上記空気調和機の室内機に設けられる。【００５６】  第十四観点に係る除湿システムの制御方法によれば、センサ検出装置は、湿度センサ、空気品質センサおよび温度センサなどの多種のセンサが集積された多機能センサ検出装置を採用してもよく、別体に空気調和機の室内機に設けられた温度検出モジュールを利用してもよい。【００５７】  別体に設けられた温度センサは、除湿システムのセンサ検出装置の範囲内に含まれ、該温度センサが他の湿度センサ、空気品質センサと通信接続可能である点などはいうまでもない。【００５８】 本発明の第十五観点に係る除湿システムの制御方法は、本発明の第一観点乃至第八観点のいずれか１つの除湿システムの制御方法において、前記センサ検出装置が前記除湿機に一体に設けられるか、または前記除湿機と別体に設けられる。【００５９】  第十五観点に係る除湿システムの制御方法によれば、前記センサ検出装置が部屋内、除湿機、空気調和機の室内機の適切な位置に設けられることができ、センサ検出装置の設置の自由度が高い。
【図面の簡単な説明】
【００６０】
【図１】本発明に係る一実施の形態の除湿システムにおける除湿機の内部構造を模式的に示す概略斜視図である。
【図２】本発明に係る一実施の形態の除湿システムにおける除湿機の空気内部の流れを模式的に示す概略斜視図である。
【図３】本発明に係る一実施の形態の除湿システムにおける除湿機に用いられるファンモータアセンブリと加熱アセンブリを模式的に示す模式図である。
【図４】本発明に係る一実施の形態の除湿システムの制御方法を説明する制御フローチャートである。
【図５】本発明に係る一実施の形態に基づいた除湿システムの制御方法、異なる運転モードでの除湿機本体内の主要部材の運転状況、バルブの開閉状態を示すグラフである。
【図６】従来技術に係る除湿装置を示す図である。
【発明を実施するための形態】
【００６１】  以下、図１乃至図３を参照し、本発明の一実施の形態の除湿システム１００における除湿機１１０を説明する。図１は本発明に係る一実施の形態の除湿システム１００における除湿機１１０の内部構造を模式的に示す概略斜視図であり、図２は本発明に係る一実施の形態の除湿システム１００における除湿機１１０の空気内部の流れを模式的に示す概略斜視図であり、図３は本発明に係る一実施の形態の除湿システム１００における除湿機１１０に用いられるファンモータアセンブリ１１１−２と加熱アセンブリ１１１−３を模式的に示す模式図である。
【００６２】  本発明の除湿システム１００は、例えば室内の壁に掛ける壁掛け式の除湿システムであり、互いに通信接続可能な除湿機１１０、空気調和機の室内機（図示せず）およびセンサ検出装置を含む。
【００６３】  図示しない上記空気調和機の室内機は少なくとも暖房運転、冷房運転を実行できる。
【００６４】  図１に示すように、上記除湿機１１０は除湿機本体１１１と除湿機カバー１１２を含む。
【００６５】  除湿機カバー１１２はヒンジを介して除湿機本体１１１と接続され、これにより、上記除湿機カバー１１２は除湿機本体１１１に対して、一方向で枢動開閉できる。
【００６６】  除湿機カバー１１２の裏面に回路基板１１２−１が取り付けられている。除湿機１１０の点検時に除湿機カバー１１２を開けると、回路基板１１２−１を点検したり、除湿機本体１１１内部の他の部品を修理したり、交換したりすることができる。
【００６７】  除湿機１１０が正常に使用されているとき、除湿機カバー１１２は閉じているが、除湿機カバー１１２は除湿機本体１１１と密接に閉じておらず、除湿機カバー１１２の内面と除湿機本体１１１の外面との間には室内空気が除湿機１１０に入ることができる除湿機本体１１１の吸気通路１１３が形成されている。
【００６８】  図１、図２および図３に示すように、上記除湿機本体１１１の内部には、空気の流れ方向に沿って順に除湿ロータ１１１−１、ファンモータアセンブリ１１１−２および加熱アセンブリ１１１−３が設けられている。
【００６９】  上記センサ検出装置は、例えば、湿度センサ、温度センサ、空気品質センサ（例えば、汚染物濃度センサ及び／又は酸素センサ及び／又はマイナスイオン濃度センサ）などの多種のセンサが集積された多機能センサ検出装置であり、例えば室内空気の相対的な湿度、温度、空気品質（ＣＯ２、ＴＶＯＣ、粒子状物質（例えばＰＭ２.５、ＰＭ１０）、Ｏ２、マイナスイオンなど）をリアルタイム又は段階的に感知できる。
【００７０】  上記除湿ロータ１１１−１は吸湿位置と再生位置に区分され、除湿ロータ１１１−１の吸湿位置での部分は吸湿領域（自然領域）であり、除湿ロータ１１１−１の再生位置での部分は再生領域（加熱領域）であり、吸湿領域（自然領域）と再生領域（加熱領域）は除湿ロータ１１１−１の回転に応じて連続的に切り替わる。上記除湿ロータ１１１−１には、例えばゼオライトが搭載されている。
【００７１】  ゼオライトは常温の状態で空気中の湿気を吸収でき、加熱後の高温の状態で吸収した湿気を排出できることが知られている。ただし、当業者は少なくとも湿気を吸収可能な他の適切な吸湿材を採用してもよい。
【００７２】  上記ファンモータアセンブリ１１１−２は多送風口ファンを含み、本実施の形態において、多送風口ターボファン１１１−２Ｆを例として説明する。図３に示すように、該多送風口ターボファン１１１−２Ｆは１つ以上の吸気口（本実施の形態では１つの吸気口１１１−２Ｆｉｎ）と２つ以上の吹出口（本実施の形態では２つの吹出口１１１−２Ｆｏｕｔ１、１１１−２Ｆｏｕｔ２）を有する。
【００７３】  図３に示すように、上記加熱アセンブリ１１１−３は例えば電熱線であり、多送風口ターボファン１１１−２Ｆの、室外と連通される吹出口１１１−２Ｆｏｕｔ１および除湿ロータ１１１−１の再生位置に対応する位置に設けられ、加熱アセンブリ１１１−３により除湿ロータ１１１−１の再生領域を加熱できる。
【００７４】  これにより、湿気を既に吸収した除湿ロータ１１１−１の吸湿領域（自然領域）が再生位置に回転し除湿ロータ１１１−１の再生領域（加熱領域）となり、加熱アセンブリ１１１−３の加熱で、吸収した湿気を放出する一方、湿気を既に放出した再生領域（加熱領域）が吸湿位置に回転し吸湿領域（自然領域）となり、除湿機本体１１１内部の空気を吸湿する。
【００７５】  図２および図３に示すように、除湿機本体１１１の、除湿機カバー１１２と反対側の面（裏面１１１ａ）に外部通気口１１１ａ−１が形成され、該外部通気口１１１ａ−１に吹出ダクト１１１ａ−１Ａが挿入され、除湿機本体１１１内部のファンモータアセンブリ１１１−２を経由した空気中の一部が吹出ダクト１１１ａ−１Ａを介して室外に排出される。
【００７６】  上記吹出ダクト１１１ａ−１Ａは例えばホースであり、除湿機本体１１１裏面に形成された外部通気口１１１ａ−１を通過して除湿機本体１１１内部の風路と連通できる（図３を参照）。
【００７７】  図１に示すように、除湿機本体１１１の一側面１１１ｂ（例えば、下側面）に室内通気口（吹出グリッド）１１１ｂ−１が形成され、該室内通気口１１１ｂ−１も除湿機本体１１１内部の風路（室内と連通する吹出口１１１−２Ｆｏｕｔ２）と連通し（図２と図３を参照）、除湿機本体１１１内部のファンモータアセンブリ１１１−２を経由した空気中の他の一部が室内通気口を介して室内に排出される。
【００７８】  これにより、図２に示すように、室内空気は除湿機カバー１１２の内表面と除湿機本体１１１の外表面との間の吸気通路１１３から周方向に除湿機本体１１１内部に吸入され、除湿ロータ１１１−１の上流側で集中し、除湿ロータ１１１−１の吸湿領域（自然領域）を通過するとともに、ファンモータアセンブリ１１１−２の多送風口ターボファン１１１−２Ｆの吸気口１１１−２Ｆｉｎを介してファン本体に入った後で、多送風口ターボファン１１１−２Ｆの作用で、二つの空気流に分割されそれぞれ２つの吹出口１１１−２Ｆｏｕｔ１、１１１−２Ｆｏｕｔ２を介して流出する。
【００７９】  図１と図２に示すように、上記二つの空気流は、除湿ロータ１１１−１の再生領域（加熱領域）を通過するとともに、吹出ダクト１１１ａ−１Ａを介して室外に排出される第１空気流Ａ１と、除湿機本体１１１の一側面１１１ｂ（例えば、下側面）に形成された室内通気口（吹出グリッド）１１１ｂ−１を介して室内に排出される第２空気流Ａ２と、を含む。
【００８０】  図示していないが、第１空気流Ａ１の流路に室外通風開閉弁を設けることが好ましく、除湿システム１００のコントローラ（図示せず）により室外通風開閉弁の開閉を制御できる。室外通風開閉弁を閉じると、室内空気が除湿システム１００の除湿機１１０に吸入されてから、すべてが（第２空気流Ａ２として）室内に排出され、室内空気の内部循環を実現する。
【００８１】  室外通風開閉弁を開けると、室内空気中の第１空気流Ａ１（除湿ロータ１１１−１が回転すると、除湿ロータ１１１−１を再生させるための（加熱アセンブリ１１１−３（電熱線）が通電時に加熱される）気流として）が室外に排出される。このとき、除湿ロータ１１１−１の再生領域（加熱領域）を通過した後の第１空気流Ａ１がより高い湿度を含み、再度と室内へ戻るに適さない。
【００８２】  さらに、図示していないが、さらに第２空気流Ａ２の流路に室内通風開閉弁を設けることが好ましく、除湿システム１００のコントローラ（図示せず）により、室内通風開閉弁の開閉を制御できる。
【００８３】  室内通風開閉弁を開けると、室内空気が除湿システム１００の除湿機１１０に吸入されてから、除湿を経た後で、そのうちの少なくとも一部の空気を室内に戻し、室内空気の湿度を下げながら、流失した室内空気を補充する。
【００８４】  室内通風開閉弁を閉じると、除湿システム１００の除湿機１１０に吸入された室内空気がすべてが（第１空気流Ａ１として）室外に排出され、室内空気の汚染物の濃度を下げることで、室内空気の品質を向上させる。
【００８５】  以下、図４と図５を参照し、本発明に係る一実施の形態の除湿システム１００の制御方法を説明する。図４は本発明に係る一実施の形態の除湿システム１００の制御方法を説明する制御フローチャートである。
【００８６】  明確にするために、図５に挙げられる表で本発明に係る一実施の形態に基づいた除湿システム１００の制御方法、異なる運転モードでの除湿機本体１１１内の主要部材の運転状况、バルブの開閉状態を示す。
【００８７】  図４に示すように、除湿機本体１１１外部に位置するセンサ検出装置はまず室内空気の相対的な湿度を検知するとともに、検知した相対的な湿度が所定の湿度値（湿度の所定値）よりも大きいかを判断する（ステップＳ１００）。
【００８８】  ここでの「検知」は「検出」と「知る」という二つの意味を含む。センサ検出装置は相対的な湿度のみを検知することに限らず、室内空気の絶対的な湿度と温度を検知するとともに、絶対的な湿度と温度に基づいて室内空気の相対的な湿度を推断してもよい。
【００８９】  <１>ステップＳ１００では、「NO」であると判断した場合に、即ち、検知した相対的な湿度が湿度の所定値以下のとき、除湿システム１００内部に設けられたコントローラ（不図示）が除湿システム１００により室内空気の湿度を調節する必要がないと判断し、このとき、センサ検出装置により室内空気の品質（ＣＯ２、ＴＶＯＣ、粒子状物質などの汚染物濃度、または酸素、マイナスイオンなどの濃度）を検知し続けるとともに、検知した空気品質の各パラメータが所定の空気品質の評価値（空気品質の所定値）よりも優れているかを判断する（ステップＳ１１０）。
【００９０】  より具体的に、各パラメータがＣＯ２、ＴＶＯＣ、粒子状物質のような汚染物の場合に、ここの「優れている」とは「以下」を指し、「劣る」とは、「よりも高い」を指し、一方、各パラメータについて、空気含有量が規定量の酸素含有量、マイナスイオン含有量などの以上でなければならない場合に、ここの「優れている」とは、「以上」を指し、「劣る」とは、「よりも低い」を指す。
【００９１】  <１−１>（除湿機１１０のシャットダウンモードまたは待機モードまたは内部循環モード）  ステップＳ１１０では、「NO」であると判断した場合に、即ち、検知した空気品質の各パラメータが全て所定の空気品質の評価値よりも優れていると、除湿システム１００における除湿機１１０をシャットダウンモードまたは待機モードまたは内部循環モードに設置する（ステップＳ１１１）。
【００９２】  具体的に、ステップＳ１１１では、シャットダウンモードに設置されると、除湿システム１００における除湿機１１０をシャットダウンし、空気調和機の室内機（図示せず）は現在の状態のままである。
【００９３】  ステップＳ１１１では、第１空気流Ａ１の流路に室外通風開閉弁が設けられた場合に、室外通風開閉弁を閉じ、除湿機１１０に入った室内空気をすべて室内に戻し、室内空気の内部循環（即ち、内部循環モードに設置する）を実現してもよく、空気調和機の室内機（図示せず）は現在の状態のままである。
【００９４】  その後、ステップＳ１００に戻る。待機モードに設置されてもよく、待機モードで、除湿機１１０は通電を保持するが、そのコアデバイス（例えば、除湿ロータ１１１−１、ファンモータアセンブリ１１１−２および加熱アセンブリ１１１−３等）が運転しない。
【００９５】  除湿機１１０が内部循環モードまたは待機モードに設置されると、前記センサ検出装置はｔ時間ごとに、室内空気の相対的な湿度値と空気品質のパラメータを検知する。
【００９６】  <１−２>（除湿機１１０の排気モード）  ステップＳ１１０では、「YES」であると判断した場合に、即ち、検知した空気品質のある１つ以上のパラメータのいずれも所定の空気品質の評価値よりも劣ると、除湿システム１００における除湿機１１０を排気モードに設置する（ステップＳ１１２）。
【００９７】  より具体的に、ステップＳ１１２では、除湿システム１００における除湿機１１０を電源オン状態にし、空気調和機の室内機は現在の状態のままである。このとき、除湿機１１０では、ファンモータアセンブリ１１１−２（多送風口ターボファン１１１−２Ｆ）をオンさせ、同時に加熱アセンブリをオフさせることで省エネの目的を達成でき、または、これと同時に、除湿ロータ１１１−１をさらにオンさせ（回転を開始させ）、室内空気が除湿機１１０の除湿機カバー１１２の内面と除湿機１１０の除湿機本体１１１の外表面との間の吸気通路１１３から周方向に除湿機本体１１１内部に吸入されるとともに、除湿ロータ１１１−１の吸湿領域（自然領域）を通過した後で、ファンモータアセンブリ１１１−２（多送風口ターボファン１１１−２Ｆ）に入ってから、室内通気口１１１ｂ−１と外部通気口１１１ａ−１を介してそれぞれ室内と室外に排出される。その後、ステップＳ１００に戻る。
【００９８】  除湿機１１０が排気モードに設置されると、前記センサ検出装置はｔ時間ごとに、室内空気の相対的な湿度値と空気品質のパラメータを検知する。
【００９９】  さらに、第１空気流Ａ１の流路に室外通風開閉弁が設けられた場合に、上記のように同時にさらに除湿ロータ１１１−１をオンさせる（回転を開始させる）と、室外通風開閉弁を直ちに開けることで、室内空気のうちの少なくとも一部が第１空気流Ａ１として室外に排出される。
【０１００】  このとき、該第１空気流Ａ１がさらに除湿ロータ１１１−１の再生領域を通過するため、ちなみに再生領域における湿気を除湿することができる。
【０１０１】  第２空気流Ａ２の流路に室内通風開閉弁が設けられた場合に、適時に室内通風開閉弁を開けるか閉じるかを選択できることで、（３）室内空気の品質が良いか、一般的な（空気品質の所定値よりやや高いか、または高い）場合に、室内通風開閉弁を開け、一部の室内空気を第２空気流Ａ２として室内に戻すことを実現し、（４）室内空気がひどく汚染されている（空気品質の所定値よりはるかに高い）場合に室内通風開閉弁を閉じて、ひどく汚染されている室内空気がすべて第１空気流Ａ１として室外に排出される。
【０１０２】  このように、除湿機１１０の除湿機本体１１０内部に入った（空気の品質が悪い）室内空気は一部が室外に排出され、他の一部が室内に戻り、これにより、室内外の温度差が大きすぎると運転中の空気調和機の室内機の負荷を過度に上げたり、空気調和機の室内機が運転しない場合や空気調和機の室内機がない場合に室内温度が急激に変化したりすることが回避され、室内空気の品質向上と省エネを両立させ、室内の人員の温度に対する快適度を低下させないと同時に、部屋内の室内空気の空気品質を改善し、快適度を向上できる。
【０１０３】  室内へ戻るに適さないと判断した場合に、例えば、ＣＯ２が高すぎるとき、室内空気のすべてを室外に排出することで、空気の品質を迅速に向上させるという目的を達成する。
【０１０４】  <２>（除湿機１１０の除湿モード）  ステップＳ１００では、「YES」であると判断した場合に、即ち、検知した相対的な湿度が第１湿度値よりも大きくなると、コントローラ（図示せず）が除湿システム１００により室内空気の湿度を調節する必要があると判断し、次いでセンサ検出装置により室内温度を検知するとともに、室内温度が所定の快適温度範囲（即ち、所定の環境の温度の下限値と所定の環境の温度の上限値との間の範囲）にあるかを判断する（ステップＳ１２０）。
【０１０５】  <２−１>（空気調和機の室内機モードが変わらないまま／電源投入時に設定されたモードに切り替わる）  ステップＳ１２０では、「YES」であると判断した場合に、即ち、検知した温度が上記快適温度範囲にあると、除湿システム１００における除湿機１１０を除湿モードに設置する（ステップＳ１２１）。
【０１０６】  より具体的に、ステップＳ１２１では、除湿システム１００における除湿機１１０を電源オン状態にし、空気調和機の室内機は現在の状態のままである。このとき、除湿機１１０では、除湿ロータ１１１−１をオンさせる（回転を開始させる）とともに、ファンモータアセンブリ１１１−２（多送風口ターボファン１１１−２Ｆ）をオンさせ、それと同時にさらに加熱アセンブリ１１１−３（電熱線）も加熱（通電加熱）を開始させる。
【０１０７】  空気調和機の室内機がオンではない状態では、空気調和機の室内機をシャットダウンモードのままにして、空気調和機の室内機が既に温度制御調節をオンした状態では、空気調和機の室内機を電源オンモードのままにするとともに、空気調和機の室内機の電源オン時に設定されたモード（冷房モードまたは暖房モードまたは他のモード）に切り替わる。その後、ステップＳ１００に戻る。
【０１０８】  除湿機１１０が除湿モードに設置されると、前記センサ検出装置はｔ時間ごとに、室内空気の相対的な湿度値を検知する。
【０１０９】  <２−２>（空気調和機の室内機のモード切替）  ステップ１２０では、「NO」であると判断した場合に、即ち、検知した温度が上記快適温度範囲外にあると、該温度が所定の環境の温度の上限値よりも高いかを判断する（ステップＳ１３０Ａ）。このとき、該温度が所定の環境の温度の下限値よりも低いかを判断してもよい（Ｓ１３０Ｂ）点は言うまでもない。
【０１１０】  <２−２−１>（空気調和機の室内機の冷房モードへの切替）  ステップＳ１３０Ａでは、「YES」であると判断した場合に、または、ステップＳ１３０Ｂでは、「NO」であると判断した場合に、即ち、検知した温度が所定の環境の温度の上限値よりも高くなると、除湿システム１００における除湿機１１０を除湿モードに設置し、空気調和機の室内機を冷房モードに切り替える（ステップＳ１３１）。
【０１１１】  より具体的に、ステップＳ１３１では、除湿システム１００における除湿機１１０を電源オン状態にし、空気調和機の室内機も電源オン状態にする。このとき、除湿機１１０では、除湿ロータ１１１−１をオンさせる（回転を開始させる）とともに、ファンモータアセンブリ１１１−２（多送風口ターボファン１１１−２Ｆ）をオンさせ、それと同時に加熱アセンブリ１１１−３（電熱線）も加熱（通電加熱）を開始させる。
【０１１２】  空気調和機の室内機がオンではない状態では、空気調和機の室内機をオンさせるとともに冷房モードに設定し、空気調和機の室内機が既に温度制御調節をオンした状態では、空気調和機の室内機を冷房モード以外の他のモードから冷房モードに切り替えるとともに、目標温度を所定の環境の温度の上限値に設定することで、室内を冷凍する。その後、ステップＳ１２０に戻る。同様に、除湿機１１０が除湿モードに設置されると、前記センサ検出装置はｔ時間ごとに、室内空気の相対的な湿度値を検知する。
【０１１３】  <２−２−２>（空気調和機の室内機の暖房モードへの切替）  ステップＳ１３０Ａでは、「NO」であると判断した場合に、または、ステップＳ１３０Ｂでは、「YES」であると判断した場合に、即ち、検知した温度が所定の環境の温度の下限値よりも低くなると、除湿システム１００における除湿機１１０を除湿モードに設置し、空気調和機の室内機を暖房モードに切り替える（ステップＳ１３２）。
【０１１４】  より具体的に、ステップＳ１３２では、除湿システム１００における除湿機１１０を電源オン状態にし、空気調和機の室内機も電源オン状態にする。このとき、除湿機１１０では、除湿ロータ１１１−１をオンさせる（回転を開始させる）とともに、ファンモータアセンブリ１１１−２（多送風口ターボファン１１１−２Ｆ）をオンさせ、それと同時に加熱アセンブリ１１１−３（電熱線）も加熱（通電加熱）を開始させる。
【０１１５】  空気調和機の室内機がオンではない状態で、空気調和機の室内機をオンさせるとともに暖房モードに設定し、空気調和機の室内機が既に温度制御調節をオンした状態で、空気調和機の室内機を暖房モード以外の他のモードから暖房モードに切り替えるとともに、目標温度を所定の環境の温度の下限値に設定することで、室内を暖房する。その後、ステップＳ１２０に戻る。
【０１１６】  同様に、除湿機１１０が除湿モードに設置されると、前記センサ検出装置はｔ時間ごとに、室内空気の相対的な湿度値を検知する。
【０１１７】  第１空気流Ａ１の流路に室外通風開閉弁が設けられた場合に、前記除湿システム（１００）が前記除湿モードを実行するように切り替えた（除湿ロータ１１１−１が回転を開始した）後で、最初から室外通風開閉弁を開けてもよいし、一定時間を経過した後（所定時間を遅延し）、除湿ロータ１１１−１の吸湿が飽和に近づくか、飽和に達すると、室外通風開閉弁を開け、再生領域における湿気を除湿するように、第１空気流Ａ１が除湿ロータ１１１−１の再生領域を通過してもよい。
【０１１８】  本実施の形態の除湿システム１００の制御方法によれば、除湿システム１００で除湿機１１０を利用して除湿モードを実行できるだけではなく、さらに除湿機１１０を利用して排気モードを実行できるとともに、排気モードで室内空気を調節して、空気の品質を改善でき、除湿機能、換気機能（外部循環機能と内部循環機能）および浄化機能などの機能を集積でき、除湿システム１００の制御の多様化を実現できる。
【０１１９】  本実施の形態の除湿システム１００の制御方法によれば、室内空気の品質を直ちに改善する必要があるとき、排気モードで換気を迅速に行うことができ、室内空気の品質を改善する必要がない場合に、または、室内空気の品質が理想的である場合に、（１）内部循環モードで、室内を流れる空気の空気品質を正確に検出すると同時に、高品質の室内空気を室内でより長期間にわたって維持できるようにするか、（２）待機モードで、室内空気を監視しながら、高いエネルギー消費部材（除湿ロータ１１１−１、ファンモータアセンブリ１１１−２、加熱アセンブリ１１１−３）の運転を避けて省エネを実現できる。
【０１２０】  内部循環モードを実行することで、外気による室内空気への二次汚染を避けることができ、部屋内の室内制御の全体的な品質（湿度、空気品質）を向上させ、室内にいる人員に快適を感じさせることができる。
【０１２１】  除湿システム１００が待機モードにあると、突発的な空気品質の劣化が発生しても、除湿システム１００も直ちに応答して対応する運転モードを開始し、室内環境をできるだけ速く所定の環境（湿度、空気品質、温度など）に復帰させることができる。
【０１２２】  本実施の形態の除湿システム１００の制御方法によれば、室内の各評価要素に基づいて、対応する運転モードを実行できるため、室内にいる人員に快適を感じさせることができる。
【０１２３】  さらに、本実施の形態の除湿システム１００の制御方法によれば、室内の各評価要素に基づいて、室内へ戻るに適さない空気流が室外に迅速に排出され、まだ室内へ戻ることができる空気流のうちの一部を室内へ戻すことができる。
【０１２４】  このように、室内外の温度差が大き過ぎると運転中の空気調和機の室内機の負荷を過度に上げたり、空気調和機の室内機が運転しない場合や空気調和機の室内機がない場合に室内温度が急激に変化したりすることが回避されることができ、室内空気の品質向上と省エネを両立させるとともに、室内の人員の温度に対する快適度を低下させないと同時に、部屋内の室内空気の空気品質を改善し、室内にいる人の感じる快適度を向上／確保できる。
【０１２５】  本実施の形態の除湿システム１００の制御方法によれば、湿度、温度、空気品質などの複数の要素から、室内空気を調節できる。特に、空気品質を評価する要素について、よく使用されるネガティブ的な評価要素（例えば、ＣＯ２濃度、粒子状物質含量、ＴＶＯＣ濃度）のほかに、ポジティブ的な評価要素（例えば、Ｏ２濃度、マイナスイオン濃度）も合わせることができる。それによって、室内の空気を全面的に調節した結果、室内にいる人員の感じる快適度を向上させた。
【０１２６】  さらに、本実施の形態の除湿システム１００の制御方法によれば、除湿機１１０の機能と空気調和機の室内機の機能が集積されているため、さらに上記制御方法により、空気調和機の室内機に対して温度制御調節を行うことができる。
【０１２７】  特に、室内のドアや窓が開いたり、外部の人員が室内に入ったりすると、環境の温度（室内温度）の変化や、検知した人体の表面温度などの変化に基づいて、室内を昇温や降温する必要があるかを判断でき、これにより、除湿システム１００の制御がよりスマートでユーザーフレンドリーになり、結果的に、室内にいる人と室内に入る人の両方の感じる快適度を向上させることができる。
【０１２８】  さらに、本実施の形態の除湿システム１００の制御方法によれば、前記センサ検出装置が除湿機１１０に一体に設けられてもよく、または除湿機１１０と別体に設けられてもよいため、異なる部屋のレイアウトによって、センサ検出装置を除湿機１１０、空気調和機の室内機または部屋内の任意の適切な位置に自由に設置でき、設置自由度が高い。
【０１２９】  以上、本発明の具体的な実施の形態について述べたが、上記具体的な実施の形態は本発明を制限するものではなく、当業者は上記の開示内容に基づいて本発明の範囲を超えずに様々な修正を行うことができることを理解すべきである。
【０１３０】  例えば、上記実施の形態において、除湿機１１０と空気調和機の室内機（不図示）を含む除湿システム１００（即ち、室内温度の判断を含む除湿システム１００）を例として、図４を参照しながらこのような構造（このような判断）を有する除湿システム１００の制御方法を説明したが、本発明はそれに限らず、除湿システム１００は空気調和機の室内機（および室内温度の判断）を含まなくてもよい。
【０１３１】  上記実施の形態において、室内空気の品質の判断を含む除湿システム１００を例として、図３を参照しながらこのような判断を有する除湿システム１００の制御方法を説明したが、本発明はそれに限らず、除湿システム１００は室内空気の品質の判断を含まなくてもよい。
【０１３２】  室内空気の品質の判断と室内温度の判断を含まない除湿システム１００において、図４の除湿システム１００の制御方法を簡単化して、ステップＳ１００、ステップＳ１１２およびステップＳ１２１を含むようにしてもよい。
【０１３３】  即ち、検知した室内空気の相対的な湿度が湿度の所定値よりも大きくなると、除湿モードを実行するが、検知した室内空気の相対的な湿度が湿度の所定値以下であると、排気モードを実行するか、または内部循環モード、待機モードおよびシャットダウンモードという３つのモードのいずれか１つを実行する。簡単化された後の除湿システム１００の制御方法により同様に本発明の最も基本的な技術効果を実現できる。
【０１３４】  当業者は、上記の簡単化された後の除湿システム１００に室内空気の品質の判断や室内温度の判断を与える場合に、図４に従って、関連する判断と動作を追加すればよいことを知っているはずである。
【０１３５】  さらに、例えば、上記実施の形態において、多送風口ファンとして、多送風口ターボファン１１１−２Ｆを例に説明したが、本発明はそれに限らず、例えば、多送風口遠心ファン（２つ以上の吹出口を有する）のような他のファンでもよい。
【０１３６】  処理面積の狭い応用環境（例えば２ベッドルームスィートなど）の場合に、多送風口ターボファン１１１−２Ｆのような小型のファンを使用することが好ましく、処理面積の広い応用環境（例えばビジネスビル）の場合に、多送風口遠心ファンのような大電力のファンを使用することが好ましい。
【０１３７】  例えば、上記実施の形態において、センサ検出装置で検知した値と所定値との間の判断を例として説明したが、本発明はそれに限らず、センサ検出装置は、関連データの検出のみを行うとともに、検出した値を不図示のコントローラに送信し、コントローラにより除湿システム１００全体の関連判断を行ってもよい。
【０１３８】  例えば、上記実施の形態において、加熱アセンブリとして、電熱線を例として説明したが、本発明はそれに限らず、必要に応じて、電磁加熱、赤外線加熱、抵抗加熱等を行うことができる各種の他の適切なタイプの加熱アセンブリを選択してもよい。
【０１３９】  例えば、上記実施の形態において、上記快適温度範囲（即、所定の環境の温度の下限値と所定の環境の温度の上限値）の設定はユーザが手動で設定されたものであるが、本発明はそれに限らず、空気調和機の室内機の自身で設定してもよい。
【０１４０】  例えば、上記実施の形態において、除湿機１１０の除湿機本体１１１外部に設けられたセンサ検出装置が室内温度（環境の温度）を検知するが、本発明はそれに限らず、センサ検出装置により人体の表面温度を単独に検知し、または同時に検知してもよい。
【０１４１】  検知した人体の表面温度が人体の適宜な体表温度範囲を超えた（即ち、所定の人体の表面温度の下限値を下回り、または、所定の人体の表面温度の上限値を上回る）場合に、空気調和機の室内機は暖房モードまたは冷房モードに自動的に切り替わる。
【０１４２】  一方、検知した人体の表面温度が人体の適宜な体表温度範囲（即ち、所定の人体の表面温度の下限値と所定の人体の表面温度の上限値との間の範囲）にある場合に、空気調和機の室内機は前に設定されたモードに戻る。
【０１４３】  上記実施の形態において、センサ検出装置（不図示）は単独した装置として除湿機１１０と別体に設けられるが、本発明はそれに限らず、単一の部屋に一台の除湿機１１０が取り付けられた場合に、センサ検出装置（不図示）は除湿機１１０に一体に設けられてもよい。
【０１４４】  このとき、センサ検出装置は除湿機１１０の除湿機本体１１１の外部に設けられてもよく、室内空気が除湿機１１０の除湿機本体１１１に入るための吸気通路１１３における加熱アセンブリ１１１−３から離れた位置に設けられてもよく（例えば、除湿機カバー１１２の内面に設けられるか、または除湿機本体１１１の除湿機カバー１１２の外面に面する、加熱アセンブリから離れた角部に設けられる）、除湿機本体１１１内部における加熱アセンブリ１１１−３から離れた位置に設けられてもよい。
【０１４５】  センサ検出装置（不図示）は空気調和機の室内機に一体に設けられてもよい。センサ検出装置が除湿機本体１１１内部に設けられた実例として、例えば、除湿機本体１１１の除湿機カバー１１２の表面１１１−ｃに面する反対の内面に設けられることができる。より具体的に、除湿機本体１１１表面の上記内表面の、室内空気が入るための吸気グリッド１１１ｃ−１下方の位置に設けられる。
【０１４６】  さらに、上記実施の形態において、上記センサ検出装置は、湿度センサ、温度センサ、空気品質センサなど多種のセンサが集積された多機能センサ検出装置であるが、本発明はそれに限らず、温度センサは単独に設けられてもよく、このとき、空気調和機の室内機の内部に設けられる温度センサを利用してもよい。
【０１４７】  単独に設けられる温度センサは除湿システムのセンサ検出装置の範囲内に含まれ、該温度センサが他の湿度センサ、空気品質センサと通信接続しなければならないことは自明である。
【０１４８】  本発明の除湿システム１００は、複数の部屋で一台の除湿機１１０を共用する場合に、各部屋のいずれにも単独のセンサ検出装置を設けるとともに、各単独のセンサ検出装置間を相互通信可能にすることによって、あるセンサ検出装置により対応する処理すべき部屋の室内空気の湿度が湿度の所定値よりも大きくなること、または空気品質のパラメータが空気品質の所定値を劣ることを検知すると、除湿機１１０を起動して、対応する除湿モードまたは排気モードを実行する。このとき、除湿機１１０の除湿機本体１１１内部に位置するファンモータアセンブリ１１１−２における多送風口ターボファン１１１−２Ｆが多段階速度調整モータまたは無段階速度調整モータを有することが理想的であり、例えば、除湿機１１０の設けられた除湿機設置部屋と上記処理すべき部屋との間の距離に基づいて、ファンモータアセンブリ１１１−２（多送風口ターボファン１１１−２Ｆ）の回転数を自動的に調節できる。
【０１４９】  その他、ファンモータアセンブリ１１１−２（多送風口ターボファン１１１−２Ｆ）は、除湿のニーズ、空気品質のニーズおよび静粛性のニーズなどに合わせて自らで調節してもよい。除湿システム１００が空気調和機の室内機を持っているかどうかにかかわらず、ファンモータアセンブリの回転数が調節できる点は言うまでもない。
【０１５０】  例えば、上記実施の形態において、室内通気口（吹出グリッド）１１１ｂ−１が除湿機本体１１１の例えば下側面に形成されるものを例として説明したが、本発明はそれに限らず、室内通気口（吹出グリッド）１１１ｂ−１は除湿機本体１１１の左右側面に形成されてもよく、さらに、除湿機本体１１１の上側面に形成されてもよい。このとき、室内通気口（吹出グリッド）１１１ｂ−１の設置位置に基づいて、除湿システム１００の除湿機１１０の部屋内での設置位置を変更できる。
【０１５１】  以上、本開示の実施形態を説明したが、特許請求の範囲に記載された本開示の趣旨及び範囲から逸脱することなく、形態や詳細の多様な変更が可能なことが理解されるであろう。
【符号説明】
【０１５２】１００              除湿システム１１０              除湿機１１１              除湿機本体１１１−１          除湿ロータ１１１−２          ファンモータアセンブリ１１１−２Ｆ        多送風口ターボファン１１１−２Ｆｉｎ      吸気口１１１−２Ｆｏｕｔ１    吹出口１１１−２Ｆｏｕｔ２    吹出口１１１−３          加熱アセンブリ１１１ａ            裏面１１１ａ−１        外部通気口１１１ａ−１Ａ      吹出ダクト１１１ｂ            側面１１１ｂ−１        室内通気口１１１ｃ            表面１１１ｃ−１        吸気グリッド１１２              除湿機カバー１１２−１          回路基板１１３              吸気通路Ａ１                第１空気流Ａ２                第２空気流
【先行技術文献】
【特許文献】
【０１５３】
【特許文献１】中国登録実用新案公報ＣＮ２０３７７１５９６Ｕ
【図１】
2020085339.tif 000003
【図２】
2020085339.tif 000004
【図３】
2020085339.tif 000005
【図４】
2020085339.tif 000006
【図５】
2020085339.tif 000007
【図６】
2020085339.tif 000008
【国際調査報告】
2020085339.tif 000009
2020085339.tif 000010
2020085339.tif 000011
2020085339.tif 000012